(57)【要約】【課題】本発明は長さ調節可能なコーヒースプーンを開示した。【解決手段】スプーン柄を含み、前記スプーン柄の中には加圧チャンバが設置され、前記加圧チャンバの中には加圧板が設置され、前記加圧チャンバの上端壁には上方に開口した昇降チャンバが設置され、前記昇降チャンバの両側端壁にはいずれも昇降溝が設置され、本発明は作動する時、お客さんのニーズに応じて、操作を通じてコーヒースプーンの伸縮を完成でき、また伸縮する長さも制御でき、異なる深さのコーヒーカップを使用する時にコーヒースプーンに対するニーズを満たすことができ、コーヒースプーンの適用範囲を広げ、伝統的な伸縮できるコーヒースプーンと比べて、このコーヒースプーンを伸縮させた後にその形の安定を依然として保証できる。【選択図】図１
2020179135.tif 000002
【特許請求の範囲】
【請求項１】
正面視で、スプーン柄を含み、前記スプーン柄の中には加圧チャンバが設置され、前記加圧チャンバの中には加圧板が設置され、前記加圧チャンバの上端壁には上方に開口した昇降チャンバが設置され、前記昇降チャンバの両側端壁にはいずれも昇降溝が設置され、前記加圧チャンバの上端壁の中にはまた前記昇降溝と前記昇降チャンバと連通している環状溝が設置され、前記加圧板には上端が前記昇降チャンバを貫通しており、且つ外部空間に位置している昇降ロッドが設置され、前記昇降ロッドの上端には押し板が設置され、前記昇降ロッドの両端面にはいずれも一端が前記環状溝の中に位置している昇降ブロックが設置され、前記昇降チャンバの下端壁の中にはばねチャンバが設置され、前記ばねチャンバの右端壁には外部空間に連通している排気パイプが設置され、前記ばねチャンバの中にはピストンが設置され、前記ピストンの下端には下端が外部空間に位置している伸縮ロッドが設置され、前記伸縮ロッドの下端にはスプーンが設置され、前記ピストンの下端面にはまた二つの伸縮ばねが設置され、前記加圧チャンバの下端壁には前記ばねチャンバに連通している通気穴が設置され、前記ばねチャンバの上端壁の中には切断機構が設置され、前記切断機構は外部空間と前記加圧チャンバとを連通する通気パイプを含み、前記ばねチャンバの上端壁には前記通気穴に貫通されているスライドチャンバが設置され、前記スライドチャンバの右端壁には圧縮ばねが設置され、前記圧縮ばねの左端にはスライド板が設置され、前記スライド板の左端には切断板が設置され、前記スライドチャンバの上端壁にはばねブロックが設置され、前記ばねブロックの右端には連結ばねが設置され、前記連結ばねの右端にはスライドブロックが設置され、前記スライドブロックの左端の下側には連結ロッドが設置され、前記連結ロッドの左端には三角ブロックが設置され、前記加圧チャンバの右端壁には液圧機構が設置され、前記液圧機構は液圧パイプを含み、前記加圧チャンバの下端壁には固定ブロックが設置され、前記固定ブロックの中には収納溝が設置され、前記収納溝の中には下押し板が設置され、前記下押し板の下端面には二つの下押しばねが設置され、前記収納溝の下端壁には右方へ前記スプーン柄の中に伸びており、且つ前記液圧パイプを貫通している移動チャンバが設置され、前記押しブロックを指定された位置に回転させた後、押すことによって装置全体の長さを伸ばすことができることを特徴とする長さ調節可能なコーヒースプーン。
【請求項２】
前記切断機構はまた前記通気パイプに切断された切断チャンバを含み、前記切断チャンバの中には下端が前記スライドチャンバの中に位置している切断ブロックが設置され、前記切断ブロックの中には貫通穴が設置され、前記切断ブロックの上端には前記切断チャンバの上端壁と連結された復帰ばねが設置され、前記三角ブロックの運動によって、前記復帰ばねの協働の下で前記通気パイプの開閉を実現し、前記通気穴と前記通気パイプとの開閉を制御することを特徴とする請求項１に記載の長さ調節可能なコーヒースプーン。
【請求項３】
前記液圧機構はまた液圧チャンバを含み、前記液圧チャンバが外部空間に連通しており、また前記液圧チャンバの上端壁には液圧ばねが設置され、前記液圧ばねの下端には液圧板が設置され、前記液圧板の下端には下端が前記加圧板と連結された電磁ロッドが設置され、前記液圧パイプが前記液圧チャンバと前記スライドチャンバとを連通し、前記液圧パイプの右端壁の中には左方に開口したばね溝が設置され、前記ばね溝の中には移動板が設置され、前記移動板の右端面には前記ばね溝の端壁と連結された引っ張りばねが設置され、前記下押し板の下端面には下端が前記移動チャンバの中に位置している台形ブロックが設置され、前記移動チャンバの中には移動ロッドが設置され、前記移動ロッドの中には流通孔と台形溝とが設置され、前記移動ロッドの右端には移動ばねが設置され、前記ばね溝の下端壁の中には摩擦チャンバが設置され、前記摩擦チャンバの中には下端が前記台形溝の中に位置している摩擦ブロックが設置され、前記摩擦チャンバの下端壁の中には前記排気パイプに貫通された切断溝が設置され、前記切断溝の中には閉鎖ブロックが設置され、前記摩擦ブロックの下端には下端が前記閉鎖ブロックと連結された摩擦ロッドが設置され、前記閉鎖ブロックの中には排気穴が設置され、前記閉鎖ブロックの下端には閉鎖ばねが設置され、前記ばねチャンバの閉鎖の制御を実現できることを特徴とする請求項１に記載の長さ調節可能なコーヒースプーン。
【発明の詳細な説明】
【技術分野】
【０００１】
本発明はコーヒースプーン分野に関わり、具体的には長さ調節可能なコーヒースプーンである。
【背景技術】
【０００２】
今、異なるコーヒーカップは異なる長さのコーヒースプーンが必要であり、そのため、コーヒースプーンの種類の数が多く、選ぶのは難しく、現階段の伸縮できるコーヒースプーンは、使用される過程に自動的に伸びる又は収縮する状況が発生しやすく、使用に不便である。
【先行技術文献】
【特許文献】
【０００３】
【特許文献１】中国特許出願公開第１０５５２２５４２号明細書
【発明の概要】
【発明が解決しようとする課題】
【０００４】
本発明は長さ調節可能なコーヒースプーンを提供し、上記背景技術に提出された問題を解決することを目的とする。
【課題を解決するための手段】
【０００５】
上記の目的を実現するため、本発明は以下の技術プランを提供する：長さ調節可能なコーヒースプーンはスプーン柄を含み、前記スプーン柄の中には加圧チャンバが設置され、前記加圧チャンバの中には加圧板が設置され、前記加圧チャンバの上端壁には上方に開口した昇降チャンバが設置され、前記昇降チャンバの両側端壁にはいずれも昇降溝が設置され、前記加圧チャンバの上端壁の中にはまた前記昇降溝と前記昇降チャンバと連通している環状溝が設置され、前記加圧板には上端が前記昇降チャンバを貫通しており、且つ外部空間に位置している昇降ロッドが設置され、前記昇降ロッドの上端には押し板が設置され、前記昇降ロッドの両端面にはいずれも一端が前記環状溝の中に位置している昇降ブロックが設置され、前記昇降チャンバの下端壁の中にはばねチャンバが設置され、前記ばねチャンバの右端壁には外部空間に連通している排気パイプが設置され、前記ばねチャンバの中にはピストンが設置され、前記ピストンの下端には下端が外部空間に位置している伸縮ロッドが設置され、前記伸縮ロッドの下端にはスプーンが設置され、前記ピストンの下端面にはまた二つの伸縮ばねが設置され、前記加圧チャンバの下端壁には前記ばねチャンバに連通している通気穴が設置され、前記ばねチャンバの上端壁の中には切断機構が設置され、前記切断機構は外部空間と前記加圧チャンバとを連通する通気パイプを含み、前記ばねチャンバの上端壁には前記通気穴に貫通されているスライドチャンバが設置され、前記スライドチャンバの右端壁には圧縮ばねが設置され、前記圧縮ばねの左端にはスライド板が設置され、前記スライド板の左端には切断板が設置され、前記スライドチャンバの上端壁にはばねブロックが設置され、前記ばねブロックの右端には連結ばねが設置され、前記連結ばねの右端にはスライドブロックが設置され、前記スライドブロックの左端の下側には連結ロッドが設置され、前記連結ロッドの左端には三角ブロックが設置され、前記加圧チャンバの右端壁には液圧機構が設置され、前記液圧機構は液圧パイプを含み、前記加圧チャンバの下端壁には固定ブロックが設置され、前記固定ブロックの中には収納溝が設置され、前記収納溝の中には下押し板が設置され、前記下押し板の下端面には二つの下押しばねが設置され、前記収納溝の下端壁には右方へ前記スプーン柄の中に伸びており、且つ前記液圧パイプを貫通している移動チャンバが設置され、前記押しブロックを指定された位置に回転させた後、押すことによって装置全体の長さを伸ばすことができる。
【０００６】
好ましくは、前記切断機構はまた前記通気パイプに切断された切断チャンバを含み、前記切断チャンバの中には下端が前記スライドチャンバの中に位置している切断ブロックが設置され、前記切断ブロックの中には貫通穴が設置され、前記切断ブロックの上端には前記切断チャンバの上端壁と連結された復帰ばねが設置され、前記三角ブロックの運動によって、前記復帰ばねの協働の下で前記通気パイプの開閉を実現し、前記通気穴と前記通気パイプとの開閉を制御する。
【０００７】
好ましくは、前記液圧機構はまた液圧チャンバを含み、前記液圧チャンバが外部空間に連通しており、また前記液圧チャンバの上端壁には液圧ばねが設置され、前記液圧ばねの下端には液圧板が設置され、前記液圧板の下端には下端が前記加圧板と連結された電磁ロッドが設置され、前記液圧パイプが前記液圧チャンバと前記スライドチャンバとを連通し、前記液圧パイプの右端壁の中には左方に開口したばね溝が設置され、前記ばね溝の中には移動板が設置され、前記移動板の右端面には前記ばね溝の端壁と連結された引っ張りばねが設置され、前記下押し板の下端面には下端が前記移動チャンバの中に位置している台形ブロックが設置され、前記移動チャンバの中には移動ロッドが設置され、前記移動ロッドの中には流通孔と台形溝とが設置され、前記移動ロッドの右端には移動ばねが設置され、前記ばね溝の下端壁の中には摩擦チャンバが設置され、前記摩擦チャンバの中には下端が前記台形溝の中に位置している摩擦ブロックが設置され、前記摩擦チャンバの下端壁の中には前記排気パイプに貫通された切断溝が設置され、前記切断溝の中には閉鎖ブロックが設置され、前記摩擦ブロックの下端には下端が前記閉鎖ブロックと連結された摩擦ロッドが設置され、前記閉鎖ブロックの中には排気穴が設置され、前記閉鎖ブロックの下端には閉鎖ばねが設置され、前記ばねチャンバの閉鎖の制御を実現できる。
【発明の効果】
【０００８】
以上により、本発明の有益な効果は：本装置は構成が簡単で、操作が便利であり、使用する時、お客さんのニーズに応じて、操作を通じてコーヒースプーンの伸縮を完成でき、また伸縮する長さも制御でき、異なる深さのコーヒーカップを使用する時にコーヒースプーンに対するニーズを満たすことができ、コーヒースプーンの適用範囲を広げ、伝統的な伸縮できるコーヒースプーンと比べて、このコーヒースプーンを伸縮させた後にその形の安定を依然として保証できる。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の長さ調節可能なコーヒースプーンの全体全断面の正面構成概略図
【図２】図２は本発明の長さ調節可能なコーヒースプーンの液圧機構の部分断面の正面拡大構成概略図
【図３】図３は本発明の長さ調節可能なコーヒースプーンの閉鎖ブロックの左側面拡大概略図
【図４】図４は本発明の長さ調節可能なコーヒースプーンの環状溝の全断面の平面拡大構成概略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜４を参照し、本発明の実施例は、長さ調節可能なコーヒースプーンであり、長さ調節可能なコーヒースプーンはスプーン柄１を含み、前記スプーン柄１の中には加圧チャンバ３が設置され、前記加圧チャンバ３の中には加圧板３４が設置され、前記加圧チャンバ３の上端壁には上方に開口した昇降チャンバ３６が設置され、前記昇降チャンバ３６の両側端壁にはいずれも昇降溝３７が設置され、前記加圧チャンバ３の上端壁の中にはまた前記昇降溝３７と前記昇降チャンバ３６と連通している環状溝３９が設置され、前記加圧板３４には上端が前記昇降チャンバ３６を貫通しており、且つ外部空間に位置している昇降ロッド３５が設置され、前記昇降ロッド３５の上端には押し板４０が設置され、前記昇降ロッド３５の両端面にはいずれも一端が前記環状溝３９の中に位置している昇降ブロック３８が設置され、前記昇降チャンバ３６の下端壁の中にはばねチャンバ１９が設置され、前記ばねチャンバ１９の右端壁には外部空間に連通している排気パイプ２４が設置され、前記ばねチャンバ１９の中にはピストン２０が設置され、前記ピストン２０の下端には下端が外部空間に位置している伸縮ロッド１５が設置され、前記伸縮ロッド１５の下端にはスプーン１４が設置され、前記ピストン２０の下端面にはまた二つの伸縮ばね１８が設置され、前記加圧チャンバ３の下端壁には前記ばねチャンバ１９に連通している通気穴５５が設置され、前記ばねチャンバ１９の上端壁の中には切断機構５７が設置され、前記切断機構５７は外部空間と前記加圧チャンバ３とを連通する通気パイプ２を含み、前記ばねチャンバ１９の上端壁には前記通気穴５５に貫通されているスライドチャンバ４７が設置され、前記スライドチャンバ４７の右端壁には圧縮ばね２５が設置され、前記圧縮ばね２５の左端にはスライド板１７が設置され、前記スライド板１７の左端には切断板１６が設置され、前記スライドチャンバ４７の上端壁にはばねブロック１０が設置され、前記ばねブロック１０の右端には連結ばね１１が設置され、前記連結ばね１１の右端にはスライドブロック１２が設置され、前記スライドブロック１２の左端の下側には連結ロッド９が設置され、前記連結ロッド９の左端には三角ブロック８が設置され、前記加圧チャンバ３の右端壁には液圧機構５６が設置され、前記液圧機構５６は液圧パイプ２６を含み、前記加圧チャンバ３の下端壁には固定ブロック４８が設置され、前記固定ブロック４８の中には収納溝４２が設置され、前記収納溝４２の中には下押し板４１が設置され、前記下押し板４１の下端面には二つの下押しばね４３が設置され、前記収納溝４２の下端壁には右方へ前記スプーン柄１の中に伸びており、且つ前記液圧パイプ２６を貫通している移動チャンバ４４が設置され、前記押しブロック４０を指定された位置に回転させた後、押すことによって装置全体の長さを伸ばすことができる。
【００１３】
有益なように、前記切断機構５７はまた前記通気パイプ２に切断された切断チャンバ６を含み、前記切断チャンバ６の中には下端が前記スライドチャンバ４７の中に位置している切断ブロック５が設置され、前記切断ブロック５の中には貫通穴７が設置され、前記切断ブロック５の上端には前記切断チャンバ６の上端壁と連結された復帰ばね４が設置され、前記三角ブロック８の運動によって、前記復帰ばね４の協働の下で前記通気パイプ２の開閉を実現し、前記通気穴５５と前記通気パイプ２との開閉を制御する。
【００１４】
有益なように、前記液圧機構５６はまた液圧チャンバ３３を含み、前記液圧チャンバ３３が外部空間に連通しており、また前記液圧チャンバ３３の上端壁には液圧ばね３１が設置され、前記液圧ばね３１の下端には液圧板３２が設置され、前記液圧板３２の下端には下端が前記加圧板３４と連結された電磁ロッド３０が設置され、前記液圧パイプ２６が前記液圧チャンバ３３と前記スライドチャンバ４７とを連通し、前記液圧パイプ２６の右端壁の中には左方に開口したばね溝２８が設置され、前記ばね溝２８の中には移動板２７が設置され、前記移動板２７の右端面には前記ばね溝２８の端壁と連結された引っ張りばね２９が設置され、前記下押し板４１の下端面には下端が前記移動チャンバ４４の中に位置している台形ブロック４５が設置され、前記移動チャンバ４４の中には移動ロッド４６が設置され、前記移動ロッド４６の中には流通孔５０と台形溝５２とが設置され、前記移動ロッド４６の右端には移動ばね４６が設置され、前記ばね溝２８の下端壁の中には摩擦チャンバ５４が設置され、前記摩擦チャンバ５４の中には下端が前記台形溝５２の中に位置している摩擦ブロック５３が設置され、前記摩擦チャンバ５４の下端壁の中には前記排気パイプ２４に貫通された切断溝２１が設置され、前記切断溝２１の中には閉鎖ブロック２３が設置され、前記摩擦ブロック５３の下端には下端が前記閉鎖ブロック２３と連結された摩擦ロッド４９が設置され、前記閉鎖ブロック２３の中には排気穴１３が設置され、前記閉鎖ブロック２３の下端には閉鎖ばね２２が設置され、前記ばねチャンバ１９の閉鎖の制御を実現できる。
【００１５】
以下、出願人は附図１〜４及び上記の本出願の長さ調節可能なコーヒースプーンの具体的な構成を参考して本出願の長さ調節可能なコーヒースプーンの使用方法を詳しく紹介する：
【００１６】
初期状態の下で、押しブロック４０が回転している時に電磁ロッド３０と加圧板３４とが互いに吸引し合わなく、それ以外の場合には電磁ロッド３０と加圧板３４とが互いに吸引し合っている。
【００１７】
押しブロック４０を回転させ、昇降ブロク３８が昇降溝３７の下側に位置する時、液圧ばね３７が復帰し、それによって液圧板３２と、電磁ロッド３０と、加圧板３４と、昇降ロッド３５と、押しブロック４０と昇降ブロック３８とが上昇し、液圧板３２が上昇してスライドチャンバ４７の中の液体を液圧チャンバに回収し、加圧板３４が上昇し、それによって下押しばね４３と台形ブロック４５とが復帰し、摩擦ブロック５３が閉鎖ばね２２と移動ばね５１との作用の下でゆっくりと復帰するため、前記流通孔５０がゆっくりと左方へ移動ロッド４６が液圧パイプ２６を切断するまで移動し、全てのばねが復帰し、押しブロック４０を押し、それによって液圧板３２と加圧板３４とを下降させ、ばねチャンバ１８に空気を送り、移動ロッド４６が液圧パイプ２６を切断したため、移動板２７が右方へ運動連動し、引っ張りばね２９が圧縮され、加圧板３４が下押し板４１と台形ブロック４５とを下降連動させる時、流通孔５０が液圧パイプ２６と連通し、引っ張りばね２９が復帰して移動板２７を復帰連動させ、それによって作動油の圧力の作用の下でスライド板１７を右方へ運動連動させ、それによって切断板１６が通気穴５５を切断し、同時にスライドブロック１２と、連結ロッド９と、三角ブロック８とを連動させて運動させ、それによって切断ブロック５が上方へ運動し、連結ばね１１と復帰ばね４とが圧縮され、それによって外部空間が加圧チャンバ３と連通し、摩擦ブロック５３が摩擦力と重力の作用の下でゆっくりと下降し、排気穴１３が排気パイプ２４と連通していなく、押しブロックを速く押すことによって、ピストン２０を下方へ運動させ、徐々に伸縮ロッド１５の外部空間に位置する部分を長くし、伸縮ばね１８が圧縮される。
【００１８】
装置を短くする時、押しブロック４０を長時間押し、摩擦ブロック５３が次第に下降し、摩擦ロッド４９によって閉鎖ブロック２３を下降連動させ、排気穴１３が排気パイプ２４に連通し、ピストン２０と伸縮ばね１８とが復帰し、その後、押しブロック４０を回転させ、装置が復帰する。
【００１９】
本発明の有益な効果は：本装置は構成が簡単で、操作が便利であり、使用する時、お客さんのニーズに応じて、操作を通じてコーヒースプーンの伸縮を完成でき、また伸縮する長さも制御でき、異なる深さのコーヒーカップを使用する時にコーヒースプーンに対するニーズを満たすことができ、コーヒースプーンの適用範囲を広げ、伝統的な伸縮できるコーヒースプーンと比べて、このコーヒースプーンを伸縮させた後にその形の安定を依然として保証できる。
【００２０】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020179135.tif 000003
【図２】
2020179135.tif 000004
【図３】
2020179135.tif 000005
【図４】
2020179135.tif 000006